(57)【要約】  【課題】  一般的な携帯型電子機器のメモやスケジュール機能は、データの登録時にキーを操作するなどして一文字ずつ入力を行なうことが必要である。しかしながら、煩雑な入力処理が必要となり、利用者にとって不便である。  【解決手段】  本発明は、撮影シーンとして、メモ撮影用にシーン設定をするための処理を行う携帯型電子機器を提案するものである。また、撮影画像サイズの設定や、接写モードの設定、撮影信号の信号処理（エッジ、彩度、色合い、コントラスト、ホワイトバランスなどの調整など）を行うことができる。  加えて、撮影された撮影画像を待受け画面に表示し、重要度を示す重要度指標に応じて、表示形態を変更するとしてもよい。また、待受け画面に複数の撮影画像を同時に表示して選択可能とし、選択された撮影画像を拡大して表示することができる。【選択図】            図２
2007019637.tif 000002
【特許請求の範囲】
【請求項１】
撮影部と、
撮影部にて撮影された撮影信号に基づいて撮影画像を表示する表示部と、
撮影部をメモ撮影用に設定するためのメモ撮影設定部と、を有し、
前記メモ撮影設定部は、
撮影部での撮影シーンとしてメモ撮影シーン設定をするためのメモ撮影シーン設定手段を有する携帯型電子機器。
【請求項２】
前記表示部は、メモの撮影画像をディスプレイに表示するサイズを設定するための表示画像サイズ設定手段を有する請求項１に記載の携帯型電子機器。
【請求項３】
前記メモ撮影設定部は、撮影部を接写モードに設定するための接写モード設定手段を有する請求項１又は２に記載の携帯型電子機器。
【請求項４】
撮影部にて撮影されたメモの撮影信号を、前記表示部にてメモ内容を読み取りやすく表示できるように信号処理する信号処理部をさらに有する請求項１から３のいずれか一に記載の携帯型電子機器。
【請求項５】
前記信号処理部は、撮影信号から撮影画像中にてメモを構成する文字部分を他の部分と区別する文字部分識別手段と、文字部分識別手段にて識別された文字部分又は／及び、他の部分を構成する撮影信号を加工して、表示部において文字部分と他の部分とを区別して視認しやすいように表示するための文字部分加工手段と、を有する請求項４に記載の携帯型電子機器。
【請求項６】
前記メモ撮影設定部は、撮影部での撮影画像サイズを設定するための撮影画像サイズ設定手段を有する請求項１に記載の携帯型電子機器。
【請求項７】
前記表示部は、待受け画面表示手段を有し、
待受け画面表示手段は、前記メモ撮影設定部を利用して撮影された撮影画像を表示するための処理を行なう請求項１から６のいずれか一に記載の携帯型電子機器。
【請求項８】
前記表示部は、
前記待受け画面表示手段にて表示される撮影画像を識別する撮影画像識別情報と、重要度を示す重要度指標とを関連付けて保持する重要度保持手段と、
重要度保持手段にて保持されている重要度指標に応じて、これに関連付けられている撮影画像識別情報で識別される撮影画像の待受け画面表示手段における表示形態を変更する表示形態変更手段と、
を有する請求項７に記載の携帯型電子機器。
【請求項９】
前記待受け画面表示手段は、前記メモ撮影設定部を利用して撮影された複数の撮影画像を同時に表示して選択可能とするための選択器と、
前記待受け画面表示手段が撮影画像を表示する待受け画面に、選択器にて選択された撮影画像を拡大して表示する選択撮影画像拡大表示器と、
を有する請求項７又は８に記載の携帯型電子機器。
【請求項１０】
前記携帯型電子機器は、携帯電話機能を有する請求項１から９のいずれか一に記載の携帯型電子機器。
【請求項１１】
撮影シーンとしてメモ撮影シーン設定をするためのメモ撮影シーン設定ステップと、
前記メモ撮影シーン設定ステップにて設定された撮影シーンに基づいて撮影を行う撮影ステップと、
撮影ステップにて撮影された撮影信号に基づいて撮影画像を表示する表示ステップと、
を有するメモ撮影方法。
【請求項１２】
撮影シーンとしてメモ撮影シーン設定をするためのメモ撮影シーン設定ステップと、
メモの撮影画像をディスプレイに表示するサイズを設定するための表示画像サイズ設定と、
前記メモ撮影シーン設定ステップにて設定された撮影シーンと、表示画像サイズ設定ステップにて設定された表示画像サイズとに基づいて撮影を行う撮影ステップと、
撮影ステップにて撮影された撮影信号に基づいて撮影画像を表示する表示ステップと、
を有するメモ撮影方法。
【請求項１３】
撮影シーンとしてメモ撮影シーン設定をするためのメモ撮影シーン設定ステップと、
メモの撮影画像をディスプレイに表示するサイズを設定するための表示画像サイズ設定と、
撮影を接写モードに設定するための接写モード設定ステップと、
前記メモ撮影シーン設定ステップにて設定された撮影シーンと、表示画像サイズ設定ステップにて設定された表示画像サイズと、前記接写モード設定ステップにて設定された接写モードとに基づいて撮影を行う撮影ステップと、
撮影ステップにて撮影された撮影信号に基づいて撮影画像を表示する表示ステップと、
を有するメモ撮影方法。
【発明の詳細な説明】
【技術分野】
【０００１】
本発明は、メモ撮影機能付の携帯型電子機器と、メモ撮影方法に関するものである。
【背景技術】
【０００２】
一般的な携帯型電子機器のメモやスケジュール機能は、データの登録時にキーを操作するなどして一文字ずつ入力を行なうことが必要である。
【０００３】
また、付属のカメラ機能を用いて、撮影したメモの画像を登録、参照することができる携帯電話はすでに提案されている（特許文献１）。当該携帯電話は、操作性の向上を図ることを目的としている。
【特許文献１】特開２００４−１２９０６０号公報
【発明の開示】
【発明が解決しようとする課題】
【０００４】
しかしながら、一般的な携帯型電子機器のメモ機能においては、煩雑な入力処理が必要となり、利用者にとって不便である。
【０００５】
また、カメラ機能を用いた手法においては、撮影した画像に対して画像処理が行なわれないため、メモとして文字を読み取ることは困難な場合がある。また、カメラ機能において、メモを撮影するのに適した画質、モード、シーンなどに逐一設定することも可能であるが、煩雑である。
【課題を解決するための手段】
【０００６】
本発明は、かかる実情に鑑み、撮影部での撮影シーンとして、メモ撮影用にシーン設定をするための処理を行う携帯型電子機器を提案するものである。また、撮影画像サイズの設定や、接写モードの設定、撮影信号の信号処理（エッジ、彩度、色合い、コントラスト、ホワイトバランスなどの調整など）を行うことができる。
【０００７】
また、文字部分又は／及び、他の部分を構成する撮影信号を加工して、表示部において文字部分と他の部分とを区別して視認しやすいように表示する。
【０００８】
加えて、メモ撮影設定部を利用して撮影された撮影画像を待受け画面に表示することができる。そのとき、重要度を示す重要度指標に応じて、これに関連付けられている待受け画面の表示形態を変更するとしてもよい。また、待受け画面に複数の撮影画像を同時に表示して選択可能とし、選択された撮影画像を拡大して表示することができる。
【発明の効果】
【０００９】
以上、説明したように本件発明のいずれか一又は二以上の発明に係る携帯型電子機器においては、簡単、かつ、少ない操作で、文字の撮影に適した環境を設定することができるため利便性が高い。さらに、文字の撮影に適した環境にて撮影された画像からは、文字やメモの内容を的確に読み取ることができるため、画像メモとして簡便に活用でき、従来の一文字ずつ入力することによるメモの登録と比べて、迅速にメモを登録することができる。
【００１０】
また、撮影画像を携帯型電子機器の表示画面サイズに設定すれば、表示画面全面にメモを表示させることができ、文字が読み取りやすい。あるいは、一の表示画面中に複数の撮影画像を表示させるために任意のサイズを設定する場合には、各種の情報を一覧表示させることもできる。さらに、撮影を接写モードに設定することで、通常より焦点距離を短くすることができ、被写体を近い距離で大きく撮影できる。これにより、文字を大きく、かつ、はっきりと表示することで、読み取りやすいという効果が得られる。
【００１１】
加えて、メモ撮影設定部を利用して撮影された撮影画像を待受け画面に表示する場合には、スケジュールや覚書など記憶しておきたいことなどを一覧で表示させることができ便利である。そのとき、重要度を示す重要度指標に応じて、これに関連付けられている待受け画面の表示形態を変更する場合には、重要な撮影画像が優先的に表示されるため、重要な情報を確認しやすくなる。また、待受け画面に複数の撮影画像を同時に表示して選択可能とし、選択された撮影画像を拡大して表示する場合には、利用者の必要に応じて切り替えができ、便利である。複数の撮影画像を一覧表示にて確認しながらも、重要情報の見落としの可能性を減らすことができる。
【発明を実施するための最良の形態】
【００１２】
以下に、各発明を実施するための最良の形態を説明する。なお、本発明はこれら実施の形態に何ら限定されるものではなく、その要旨を逸脱しない範囲において、種々なる態様で実施しうる。
【００１３】
実施形態１は、主に請求項１、１０、１１などについて説明する。  実施形態２は、主に請求項２、１２などについて説明する。  実施形態３は、主に請求項３、１３などについて説明する。  実施形態４は、主に請求項４などについて説明する。  実施形態５は、主に請求項５などについて説明する。  実施形態６は、主に請求項６などについて説明する。  実施形態７は、主に請求項７などについて説明する。  実施形態８は、主に請求項８などについて説明する。  実施形態９は、主に請求項９などについて説明する。
【００１４】
<<実施形態１>>
【００１５】
<実施形態１：概要>  実施形態１について説明する。本実施形態は、撮影部での撮影シーンとして、メモ撮影用にシーン設定をするための処理を行う携帯型電子機器である。
【００１６】
図１は、本実施形態の概念の一例を示すものである。図では、本実施形態の携帯型電子機器に付属するカメラ機能を用いて、文字の記載されたメモを撮影する場面を示した。撮影にあたっては、メモ撮影設定用に撮影シーンについての設定をメモ撮影シーンとする。メモ撮影シーンの設定は、例えば、フラッシュの発光の禁止などが該当する。携帯型電子機器を操作し、メニューからメモ撮影設定モードを選択することにより、これらの設定が自動的に実行されることが想定される。あるいは、専用ボタンを操作することにより設定が実行されるとしてもよい。これにより、撮影された画像を表示画面にて表示する場合には、図下部に示したようにメモに記載された文字を読み取ることが可能となる。
【００１７】
<実施形態１：構成>  本実施形態での機能ブロックの一例を図２に示した。  図２に示す本実施形態の「携帯型電子機器」（０２００）は、「撮影部」（０２０１）と、「表示部」（０２０２）と、「メモ撮影設定部」（０２０３）とを有し、さらに、メモ撮影設定部（０２０３）は「メモ撮影シーン設定手段」（０２０４）を有する。
【００１８】
本件発明の構成要素である各部は、ハードウエア、ソフトウエア、ハードウエアとソフトウエアの両者、のいずれかによって構成される。たとえば、これらを実現する一例として、図３に示すように、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１９】
「携帯型電子機器」（０２００）は、携帯電話、ＰＨＳ、ＰＤＡ、ノートパソコン、デジタルカメラなどが例示できる。
【００２０】
「撮影部」（０２０１）は、カメラ（ＣＣＤ、ＣＭＯＳ等）などの撮像装置と、撮像装置からの撮影信号を処理する回路と、回路を制御するドライバなどによって構成される。撮像装置は携帯型電子機器に装備されているとしてもよいし、後付するものでもよい。撮像装置から取得した撮像信号は、回路にてドライバからの制御命令に基づく処理が行われ、主記憶または映像信号専用メモリに一旦記憶される。その後、表示部が有する表示デバイスに適した信号形式に成形されて、表示デバイスに対して出力される。
【００２１】
「表示部」（０２０２）は、ディスプレイ（ＥＬ、液晶等）などの表示装置と、撮影信号を成形する回路と、回路を制御するドライバなどによって構成される。表示部は、撮影部（０２０１）にて撮影された撮影信号に基づいて撮影画像を表示する。撮影信号は、撮影した画像のデジタルデータなどが該当する。この撮影信号に対して、画像処理などが施される場合もある。撮影画像の表示は、携帯型電子機器の液晶画面などに対して撮影画像が出力されることで実行される。
【００２２】
「メモ撮影設定部」（０２０３）は、撮影部をメモ撮影用に設定するための処理を行う。さらに、「メモ撮影シーン設定手段」（０２０４）は、撮影部での撮影シーンとしてメモ撮影シーン設定をするための処理を行う。メモ撮影シーンの設定は、例えば、フラッシュの発光の禁止や、その他、シャッタースピードを速く調節し、かつ、絞りを開くことによる手ぶれ防止の設定などが含まれる場合もある。メモ撮影シーンの設定は、携帯型電子機器を操作し、メニューからメモ撮影設定モードを選択することにより、上記設定が自動的に実行されることが想定される。あるいは、専用ボタンを操作することにより設定が実行されるとしてもよい。設定結果は、撮影部のドライバへと渡される。
【００２３】
<実施形態１：処理の流れ>  図４は、実施形態１の携帯型電子機器におけるメモ撮影方法の処理の流れの一例を示したものである。まず、画像メモモードの選択を検知したか判断する（モード選択判断ステップ  Ｓ０４０１）。例えば、画像メモモードに割り当てられたボタンが押し下げられると、そのボタンの押し下げに応じて所定のアドレスのメモリ領域に信号の書込が行なわれる。そのアドレスのメモリ領域は、所定のプログラムによって常に監視が行なわれており、前記信号の書込がプログラムによって検出された場合には所定の処理が開始されるようにメモ撮影設定部のプログラムが構成されている。所定の処理とは、メモ撮影シーンを設定するための処理である。つまり、画像メモモードの選択を検知したとの判断結果の場合には、撮影シーンとしてメモ撮影シーン設定をするための処理を行う（メモ撮影シーン設定ステップ  Ｓ０４０２）。他方、画像メモモードの選択を検知したとの判断結果が得られない場合は、画像メモモードの選択を検知するまで、モード選択判断ステップ（Ｓ０４０１）を繰り返す。
【００２４】
メモ撮影シーンの設定は、メモ撮影シーンに対応して撮影部を構成する撮像装置の各種設定が実現するようなデータを撮像装置の設定信号として撮像装置に対して送出することにより行なわれる。具体的には、前記検出に応じてメモ撮影シーン設定用のプログラムがＣＰＵに読み込まれ実行される。メモ撮影シーン設定用のプログラムは、具体的には前記設定信号を撮像装置のドライバプログラムに引き渡す処理を実行する。ドライバプログラムは、設定信号受付命令の検出がされた場合には、その命令に応じて定められた所定のアドレスから信号を読出、その信号を解読して撮像装置のハードウエアを制御するための制御信号を生成する。生成された制御信号は、ドライバプログラムと、撮像装置のハードウエアとの通信規定に従って撮像装置を構成するハードウエアにＩ／０を介して送信される。送信された制御信号は撮像装置のハードウエアの動きを直接的に制御するようにハードウエアは構成されている。例えば、撮像信号を取得する際のコントラストの値、シャッター速度、絞り具合、フラッシュ発光、手ぶれ防止処理、ディザ処理、ホワイトバランスなどの制御が準備される。
【００２５】
次に、シャッターが押されたか判断を行い（シャッター押下判断ステップ  Ｓ０４０３）、シャッターが押されたとの判断結果の場合には、前記メモ撮影シーン設定ステップ（Ｓ０４０２）にて設定されたメモ撮影シーンに基づいて撮影を行う（撮影ステップ  Ｓ０４０４）。他方、シャッターが押されたとの判断結果が得られない場合には、シャッターが押されるまでシャッター押下判断ステップ（Ｓ０４０３）を繰り返す。最後に、撮影ステップ（Ｓ０４０４）にて撮影された撮影信号に基づいて撮影画像を表示する（表示ステップ  Ｓ０４０５）。撮影画像は、前記メモ撮影シーン設定に基づいてＣＣＤから取得した信号を処理し、主記憶または映像信号専用メモリに一端記憶され、その後、表示部が有する表示デバイスに適した信号形式に成形されて、表示デバイスに対して出力される。
【００２６】
以上の処理の一部は、計算機に実行させるためのプログラムで実行することができ、また、このプログラムを計算機によって読取り可能な記録媒体に記録することができる。（本明細書の全体を通して同様である。）
【００２７】
<実施形態１：効果>  本実施形態は、撮影部での撮影シーンとして、メモ撮影用にシーン設定をするための処理を行う携帯型電子機器である。簡単、かつ、少ない操作で、文字の撮影に適した環境を設定することができるため利便性が高い。さらに、文字の撮影に適した環境にて撮影された画像からは、文字やメモの内容を的確に読み取ることができるため、画像メモとして簡便に活用でき、従来の一文字ずつ入力することによるメモの登録と比べて、迅速にメモを登録することができる。
【００２８】
<<実施形態２>>
【００２９】
<実施形態２：概要>  実施形態２について説明する。本実施形態は、表示画像サイズを設定するための処理を行うことに特徴を有する携帯型電子機器である。
【００３０】
<実施形態２：構成>  本実施形態での機能ブロックの一例を図５に示した。  図５に示す本実施形態の「携帯型電子機器」（０５００）は、「撮影部」（０５０１）と、「表示部」（０５０２）と、「メモ撮影設定部」（０５０３）とを有し、メモ撮影設定部（０５０３）は「メモ撮影シーン設定手段」（０５０４）を有し、表示部（０５０２）は「表示画像サイズ設定手段」（０５０５）とを有する。
【００３１】
「表示画像サイズ設定手段」（０５０５）は、メモの撮影画像をディスプレイに表示するサイズを設定するための処理を行う。表示画像サイズの設定とは、撮影した画像を所定のサイズに拡大、縮小するために行う。所定のサイズを、例えば、携帯電話の待ち受け画面サイズ（図で示した例では、１７６×１４４）に設定することで、ＱＶＧＡサイズ（３２０×２４０）で撮影した撮影画像を縮小して待ち受け画面として活用できる。縮小を行う場合には、例えば、所定のドット数ごとに画像を取得し、表示画像を生成するとしてもよい。これについては、実施形態６にて詳述する。
【００３２】
その他各部の処理については実施形態１と同様である。
【００３３】
<実施形態２：処理の流れ>  図６は、実施形態２の携帯型電子機器におけるメモ撮影方法の処理の流れの一例を示したものである。まず、画像メモモードの選択を検知したか判断する（モード選択判断ステップ  Ｓ０６０１）。画像メモモードの選択を検知したとの判断結果の場合には、撮影シーンとしてメモ撮影シーン設定をするための処理を行う（メモ撮影シーン設定ステップ  Ｓ０６０２）。他方、画像メモモードの選択を検知したとの判断結果が得られない場合は、画像メモモードの選択を検知するまで、モード選択判断ステップ（Ｓ０６０１）を繰り返す。次に、表示画像サイズを設定するための処理を行う（表示画像サイズ設定ステップ  Ｓ０６０３）。メモ撮影シーン設定ステップ（Ｓ０６０２）と、表示画像サイズ設定ステップ（Ｓ０６０３）との順序は問わない。
【００３４】
次に、シャッターが押されたか判断を行い（シャッター押下判断ステップ  Ｓ０６０４）、シャッターが押されたとの判断結果の場合には、前記メモ撮影シーン設定ステップ（Ｓ０６０２）にて設定されたメモ撮影シーンと、撮影画像サイズ設定ステップ（Ｓ０６０３）にて設定された撮影画像サイズに基づいて撮影を行う（撮影ステップ  Ｓ０６０５）。他方、シャッターが押されたとの判断結果が得られない場合には、シャッターが押されるまでシャッター押下判断ステップ（Ｓ０６０４）を繰り返す。最後に、撮影ステップ（Ｓ０６０５）にて撮影された撮影信号に基づいて撮影画像を表示する（表示ステップ  Ｓ０６０６）。
【００３５】
<実施形態２：効果>  本実施形態は、撮影画像サイズを設定するための処理を行うことに特徴を有する携帯型電子機器である。撮影画像を携帯型電子機器の表示画面サイズに設定すれば、表示画面全面にメモを表示させることができ、文字が読み取りやすい。あるいは、一の表示画面中に複数の撮影画像を表示させるために任意のサイズを設定する場合には、各種の情報を一覧表示させることもできる。
【００３６】
<<実施形態３>>
【００３７】
<実施形態３：概要>  実施形態３について説明する。本実施形態は、撮影を接写モードに設定するための処理を行うことに特徴を有する携帯型電子機器である。
【００３８】
<実施形態３：構成>  本実施形態での機能ブロックの一例を図７に示した。  図７に示す本実施形態の「携帯型電子機器」（０７００）は、「撮影部」（０７０１）と、「表示部」（０７０２）と、「メモ撮影設定部」（０７０３）とを有し、メモ撮影設定部（０７０３）は「メモ撮影シーン設定手段」（０７０４）と、さらに、「接写モード設定手段」（０７０５）とを有する。本機能ブロック図は、実施形態１を基本としたものであるが、他の実施形態を基本とした場合には他の構成要件をも有する。
【００３９】
「接写モード設定手段」（０７０５）は、撮影を接写モードに設定するための処理を行う。接写モードの設定とは、ズームを使用して画角の調整を行い、接写して撮影が可能となるように、通常より焦点距離を短くすることをいう。焦点距離を短く（図で示した例では、５ｃｍ）することで、被写体を近い距離で大きく撮影できる。
【００４０】
その他各部の処理については実施形態１、２と同様である。
【００４１】
<実施形態３：処理の流れ>  図８は、実施形態３の携帯型電子機器におけるメモ撮影方法の処理の流れの一例を示したものである。まず、画像メモモードの選択を検知したか判断する（モード選択判断ステップ  Ｓ０８０１）。画像メモモードの選択を検知したとの判断結果の場合には、撮影シーンとしてメモ撮影シーン設定をするための処理を行う（メモ撮影シーン設定ステップ  Ｓ０８０２）。他方、画像メモモードの選択を検知したとの判断結果が得られない場合は、画像メモモードの選択を検知するまで、モード選択判断ステップ（Ｓ０８０１）を繰り返す。次に、表示画像サイズを設定するための処理を行う（表示画像サイズ設定ステップ  Ｓ０８０３）。さらに、撮影を接写モードに設定するための処理を行う（接写モード設定ステップ  Ｓ０８０４）。接写モードの設定は、これに対応して撮影部を構成する撮像装置の各種設定が実現するようなデータを撮像装置の設定信号として撮像装置に対して送出することにより行なわれる。具体的には、前記検出に応じて接写モード設定用のプログラムがＣＰＵに読み込まれ実行される。接写モード設定用のプログラムは、具体的には前記設定信号を撮像装置のドライバプログラムに引き渡す処理を実行する。ドライバプログラムは、設定信号受付命令の検出がされた場合には、その命令に応じて定められた所定のアドレスから信号を読出、その信号を解読して撮像装置のハードウエアを制御するための制御信号を生成する。生成された制御信号は、ドライバプログラムと、撮像装置のハードウエアとの通信規定に従って撮像装置を構成するハードウエアにＩ／０を介して送信される。送信された制御信号は撮像装置のハードウエアの動きを直接的に制御するようにハードウエアは構成されている。例えば、撮像信号を取得する際のレンズ位置などの制御が準備される。メモ撮影シーン設定ステップ（Ｓ０８０２）と、表示画像サイズ設定ステップ（Ｓ０８０３）と、接写モード設定ステップ（Ｓ０８０４）との順序は問わない。また、撮影画像サイズ設定ステップ（Ｓ０８０３）の実行がなされない場合もある。
【００４２】
次に、シャッターが押されたか判断を行い（シャッター押下判断ステップ  Ｓ０８０５）、シャッターが押されたとの判断結果の場合には、前記メモ撮影シーン設定ステップ（Ｓ０８０２）にて設定されたメモ撮影シーンと、撮影画像サイズ設定ステップ（Ｓ０８０３）にて設定された撮影画像サイズと、接写モード設定ステップ（Ｓ０８０４）にて設定された接写モードに基づいて撮影を行う（撮影ステップ  Ｓ０８０６）。他方、シャッターが押されたとの判断結果が得られない場合には、シャッターが押されるまでシャッター押下判断ステップ（Ｓ０８０５）を繰り返す。最後に、撮影ステップ（Ｓ０８０６）にて撮影された撮影信号に基づいて撮影画像を表示する（表示ステップ  Ｓ０８０７）。
【００４３】
<実施形態３：効果>  本実施形態は、撮影を接写モードに設定するための処理を行うことに特徴を有する携帯型電子機器である。撮影を接写モードに設定することで、通常より焦点距離を短くすることができ、被写体を近い距離で大きく撮影できる。これにより、文字を大きく、かつ、はっきりと表示することで、読み取りやすいという効果が得られる。
【００４４】
<<実施形態４>>
【００４５】
<実施形態４：概要>  実施形態４について説明する。本実施形態は、撮影されたメモの撮影信号を、メモ内容を読み取りやすく表示できるように信号処理することに特徴を有する携帯型電子機器である。
【００４６】
<実施形態４：構成>  本実施形態での機能ブロックの一例を図９に示した。  図９に示す本実施形態の「携帯型電子機器」（０９００）は、「撮影部」（０９０１）と、「表示部」（０９０２）と、「メモ撮影設定部」（０９０３）と、さらに、「信号処理部」（０９０５）とを有し、メモ撮影設定部（０９０３）は「メモ撮影シーン設定手段」（０９０４）を有する。本機能ブロック図は、実施形態１を基本としたものであるが、他の実施形態を基本とした場合には他の実施形態を基本とした場合には他の構成要件をも有する。
【００４７】
「信号処理部」（０９０５）は、撮影部（０９０１）にて撮影されたメモの撮影信号を、前記表示部（０９０２）にてメモ内容を読み取りやすく表示できるように信号処理する。前記信号処理は、輪郭（エッジ）、彩度、色合い、コントラスト、ホワイトバランスなどの調整による画像処理などが該当する。具体的には、コントラストを高め、輪郭（エッジ）を強くするなどできる。主として撮影信号は白黒データに二値化することなく、カラーデータのまま画像処理を行う。これにより、パソコンのモニタ上に表示されたメール内容を画像メモとして撮影した場合のように、画質が悪い画像であっても、撮影信号の全体を用いることによってメモとして判別できる。
【００４８】
その他各部の処理については実施形態１、２と同様である。
【００４９】
<実施形態４：処理の流れ>  図１０は、実施形態４の携帯型電子機器におけるメモ撮影方法の処理の流れの一例を示したものである。まず、画像メモモードの選択を検知したか判断する（モード選択判断ステップ  Ｓ１００１）。画像メモモードの選択を検知したとの判断結果の場合には、撮影シーンとしてメモ撮影シーン設定をするための処理を行う（メモ撮影シーン設定ステップ  Ｓ１００２）。他方、画像メモモードの選択を検知したとの判断結果が得られない場合は、画像メモモードの選択を検知するまで、モード選択判断ステップ（Ｓ１００１）を繰り返す。次に、表示画像サイズを設定するための処理を行う（表示画像サイズ設定ステップ  Ｓ１００３）。さらに、撮影を接写モードに設定するための処理を行う（接写モード設定ステップ  Ｓ１００４）。メモ撮影シーン設定ステップ（Ｓ１００２）と、表示画像サイズ設定ステップ（Ｓ１００３）と、接写モード設定ステップ（Ｓ１００４）との順序は問わない。また、撮影画像サイズ設定ステップ（Ｓ１００３）の実行がなされない場合もある。
【００５０】
次に、シャッターが押されたか判断を行い（シャッター押下判断ステップ  Ｓ１００５）、シャッターが押されたとの判断結果の場合には、前記メモ撮影シーン設定ステップ（Ｓ１００２）にて設定されたメモ撮影シーンと、撮影画像サイズ設定ステップ（Ｓ１００３）にて設定された撮影画像サイズと、接写モード設定ステップ（Ｓ１００４）にて設定された接写モードに基づいて撮影を行う（撮影ステップ  Ｓ１００６）。他方、シャッターが押されたとの判断結果が得られない場合には、シャッターが押されるまでシャッター押下判断ステップ（Ｓ１００５）を繰り返す。さらに、撮影ステップ（Ｓ１００６）にて撮影されたメモの撮影信号を、メモ内容を読み取りやすく表示できるように信号処理する（信号処理ステップ  Ｓ１００７）。最後に、信号処理ステップ（Ｓ１００７）にて信号処理された撮影信号に基づいて撮影画像を表示する（表示ステップ  Ｓ１００８）。
【００５１】
<実施形態４：効果>  本実施形態は、撮影されたメモの撮影信号を、メモ内容を読み取りやすく表示できるように信号処理することに特徴を有する携帯型電子機器である。信号処理として、輪郭（エッジ）、彩度、色合い、コントラスト、ホワイトバランスなどの調整を行うことで、より文字を明確に表示し、読み取りやすいという効果が得られる。
【００５２】
<<実施形態５>>
【００５３】
<実施形態５：概要>  実施形態５について説明する。本実施形態は、文字部分又は／及び、他の部分を構成する撮影信号を加工して、表示部において文字部分と他の部分とを区別して視認しやすいように表示することに特徴を有する携帯型電子機器である。
【００５４】
<実施形態５：構成>  本実施形態での機能ブロックの一例を図１１に示した。  図１１に示す本実施形態の「携帯型電子機器」（１１００）は、「撮影部」（１１０１）と、「表示部」（１１０２）と、「メモ撮影設定部」（１１０３）と、「信号処理部」（１１０５）とを有し、メモ撮影設定部（１１０３）は「メモ撮影シーン設定手段」（１１０４）を有する。さらに、信号処理部（１１０５）は「文字部分識別手段」（１１０６）と、「文字部分加工手段」（１１０７）とを有する。本機能ブロック図は、実施形態４と、実施形態１を基本としたものであるが、他の実施形態を基本とした場合には他の構成要件をも有する。
【００５５】
「文字部分識別手段」（１１０６）は、撮影信号から撮影画像中にてメモを構成する文字部分を他の部分と区別する。文字部分と他の部分の区別は、例えば横軸のラインごとに輝度値を算出し、閾値との比較を行うことで判別する手法が想定される。閾値は、算出した全ラインの輝度値の中心値などが該当する。これについては、後述の処理の流れにて説明する。
【００５６】
その他の方法としては、画像の色値のＲＧＢを変換処理し、さらにクラスタリング処理を行うことで、色を分解できる。ノイズの除去を行い、文字部分と他の部分の区別を行なうとしてもよい。
【００５７】
「文字部分加工手段」（１１０７）は、文字部分識別手段（１１０６）にて識別された文字部分又は／及び、他の部分を構成する撮影信号を加工して、表示部（１１０２）において文字部分と他の部分とを区別して視認しやすいように表示するための処理を行う。撮影信号の加工は、文字部分を拡大し、余白部分を縮小する処理などが該当する。図１２に示したように、横書きメモの撮影信号の場合には、文字部分を縦に拡大し、余白部分を縦に縮小することで、限られた領域内に多くの情報を表示可能となる。また、別の例としては、ラインごとに余白部分に着色することにより、メモの下線として作用させることもできる。加工する部分は、文字部分だけ、あるいは、余白部分だけでもよいし、文字部分と余白部分の両方でもよい。
【００５８】
その他各部の処理については実施形態１から４と同様である。
【００５９】
<実施形態５：処理の流れ>  図１３は、実施形態５の携帯型電子機器におけるメモ撮影方法の処理の流れの一例を示したものである。ここでは、画像メモモードの選択がなされ、メモ撮影シーン設定ステップなどの各種設定処理が完了されていることを前提とする。
【００６０】
まず、シャッターが押されたか判断を行い（シャッター押下判断ステップ  Ｓ１３０１）、シャッターが押されたとの判断結果の場合には、各種設定処理にて設定された情報に基づいて撮影を行う（撮影ステップ  Ｓ１３０２）。他方、シャッターが押されたとの判断結果が得られない場合には、シャッターが押されるまでシャッター押下判断ステップ（Ｓ１２０１）を繰り返す。
【００６１】
さらに、撮影ステップ（Ｓ１３０１）にて撮影されたメモの撮影信号を、メモ内容を読み取りやすく表示できるように信号処理するために、撮影信号から撮影画像中にてメモを構成する文字部分を他の部分と区別する。具体的には、まず、撮影信号に基づいて各ラインの輝度値を算出する（輝度値算出ステップ  Ｓ１３０３）。次に、輝度値算出ステップ（Ｓ１３０３）にて得られた輝度値の中心値を閾値とする（閾値設定ステップ  Ｓ１３０４）。さらに、画像ラインの輝度値が閾値以上かどうかから文字部分と他の部分の区別を行う（文字部分識別ステップ  Ｓ１３０５）。文字部分は黒いと仮定すると、文字部分の輝度値は閾値よりも小さいと推測される。文字部分識別ステップ（Ｓ１３０５）にて、文字部分であると識別できた場合には、文字部分を構成する撮影信号を加工し（文字部分加工ステップ  Ｓ１３０６）、余白部分であると識別できた場合には、余白部分を構成する撮影信号を加工する（余白部分加工ステップ  Ｓ１３０７）。その次に、加工ステップ（Ｓ１３０６、Ｓ１３０７）にて加工処理された撮影信号に基づいて撮影画像を表示する（表示ステップ  Ｓ１３０８）。最後に、変数ｎ（初期値は０とする）の値と処理済画像のライン数との比較を行い（比較ステップ  Ｓ１３０９）、変数ｎの値が画像のライン数より小さい限りは、文字部分識別ステップ（Ｓ１３０５）に戻って処理を繰り返す。このとき、変数ｎの値をインクリメントする。
【００６２】
<実施形態５：効果>  本実施形態は、文字部分又は／及び、他の部分を構成する撮影信号を加工して、表示部において文字部分と他の部分とを区別して視認しやすいように表示することに特徴を有する携帯型電子機器である。横書きメモの撮影信号の場合には、文字部分を縦に拡大し、余白部分を縦に縮小することで、限られた領域内に多くの情報を表示可能となる。
【００６３】
<<実施形態６>>
【００６４】
<実施形態６：概要>  実施形態６について説明する。本実施形態は、撮影画像サイズを設定するための処理を行うことに特徴を有する携帯型電子機器である。
【００６５】
<実施形態６：構成>  本実施形態での機能ブロックの一例を図１４に示した。  図１４に示す本実施形態の「携帯型電子機器」（１４００）は、「撮影部」（１４０１）と、「表示部」（１４０２）と、「メモ撮影設定部」（１４０３）とを有し、メモ撮影設定部（１４０３）は「メモ撮影シーン設定手段」（１４０４）と、「撮影画像サイズ設定手段」（１４０５）とを有する。
【００６６】
「撮影画像サイズ設定手段」（１４０５）は、撮影部（１４０１）での撮影画像サイズを設定するための処理を行う。撮影画像サイズの設定処理とは、撮影する画像サイズを定めるために、撮影画像データのピクセル数や、解像度などを設定することをいう。文字を解析できる程度のピクセル数や、解像度を設定しておくことで、的確な撮影が可能となる。
【００６７】
その他各部の処理については、実施形態１から５と同様である。
【００６８】
<実施形態６：効果>  本実施形態は、撮影画像サイズを設定するための処理を行うことに特徴を有する携帯型電子機器である。文字を解析できる程度の撮影画像サイズを設定することで、的確な撮影が可能となる。
【００６９】
<<実施形態７>>
【００７０】
<実施形態７：概要>  実施形態７について説明する。本実施形態は、メモ撮影設定部を利用して撮影された撮影画像を待受け画面に表示するための処理を行なうことに特徴を有する携帯型電子機器である。
【００７１】
<実施形態７：構成>  本実施形態での機能ブロックの一例を図１５に示した。  図１５に示す本実施形態の「携帯型電子機器」（１５００）は、「撮影部」（１５０１）と、「表示部」（１５０２）と、「メモ撮影設定部」（１５０３）とを有し、メモ撮影設定部（１５０３）は「メモ撮影シーン設定手段」（１５０４）を有する。さらに、表示部（１５０２）は「待受け画面表示手段」（１５０５）を有する。本機能ブロック図は、実施形態１を基本としたものであるが、他の実施形態を基本とした場合には他の構成要件を有する。
【００７２】
「待受け画面表示手段」（１５０５）は、メモ撮影設定部（１５０３）を利用して撮影された撮影画像を待受け画面として表示するための処理を行う。待受け画面は、携帯型電子機器の初期画面や、スクリーンセーバーモードにおける画面などが該当する場合がある。撮影した画像を待受け画面表示用にコピーし、加工して生成することが想定される。待受け画面は、一の撮影画像から生成するとしてもよいし、図１６のように複数の撮影画像から生成するとしてもよい。図１６は、４つの撮影画像をそれぞれ縮小し、１つに合成して表示した状態を示したが、表示画像数は問わない。表示する画像サイズを固定し、表示画面に表示可能な数のみ表示するとしてもよい。待受け状態を検知すると、待受け画面をメモリから取得し、表示する。
【００７３】
その他各部の処理については、実施形態１から６と同様である。
【００７４】
<実施形態７：効果>  本実施形態は、メモ撮影設定部を利用して撮影された撮影画像を待受け画面に表示するための処理を行なうことに特徴を有する携帯型電子機器である。撮影したメモなどの画像から待受け画面の表示を作成することで、待受け画像として各種の情報を表示することができる。スケジュールや覚書など記憶してきたいことなどを一覧で表示させることができ便利である。
【００７５】
<<実施形態８>>
【００７６】
<実施形態８：概要>  実施形態８について説明する。重要度を示す重要度指標に応じて、これに関連付けられている、撮影画像の待受け画面表示手段における表示形態を変更することに特徴を有する携帯型電子機器である。
【００７７】
<実施形態８：構成>  本実施形態での機能ブロックの一例を図１７に示した。  図１７に示す本実施形態の「携帯型電子機器」（１７００）は、「撮影部」（１７０１）と、「表示部」（１７０２）と、「メモ撮影設定部」（１７０３）とを有し、メモ撮影設定部（１７０３）は「メモ撮影シーン設定手段」（１７０４）を有する。さらに、表示部（１７０２）は「待受け画面表示手段」（１７０５）と、「重要度保持手段」（１７０６）と、「表示形態変更手段」（１７０７）とを有する。本機能ブロック図は、実施形態７と、実施形態１を基本としたものであるが、他の実施形態を基本とした場合には他の構成要件を有する。
【００７８】
「重要度保持手段」（１７０６）は、前記待受け画面表示手段（１７０５）にて表示される撮影画像を識別する撮影画像識別情報と、重要度を示す重要度指標とを関連付けて保持する。重要度指標は、利用者が入力等することにより設定できることが想定される。撮影画像が複数ある場合に、重要度指標を関連付けることで、表示する際の優先順位を定めることができる。また、一画面上に複数の撮影画像が表示されている場合には、例えば、図１６で示したように最も重要度指標の高い撮影画像を太枠で囲むなどして目立たせることもできる。
【００７９】
「表示形態変更手段」（１７０７）は、重要度保持手段（１７０６）にて保持されている重要度指標に応じて、これに関連付けられている撮影画像識別情報で識別される撮影画像の待受け画面表示手段（１７０５）における表示形態を変更する。表示形態の変更は、撮影画像の切り替えが該当することは当然のことながら、一画面上に複数の撮影画像が表示されている場合には撮影画像の切り替えの他、表示位置の切り替え、囲み（最も重要度指標の高い撮影画像に付する印）の切り替えなどが含まれる場合がある。
【００８０】
図１８は、撮影画像識別情報と、重要度指標との関係の一例を示した図である。図で示した以外にも、表示位置を示す情報などが含まれるとしてもよい。図で示したテーブルからは、メモの撮影画像の重要度指標が最も高いことが分かる。現在表示中の撮影画像をメモの撮影画像へと切り替えるなどの表示形態を変更する
【００８１】
その他各部の処理については実施形態１から７と同様である。
【００８２】
<実施形態８：処理の流れ>  図１９は、実施形態８の携帯型電子機器における撮影画像の表示形態変更方法の処理の流れの一例を示したものである。ここでは、待受け画面に撮影画像が表示されていることを前提とする。
【００８３】
まず、待受け画像の表示形態を変更するかどうかの判断を行い（変更判断ステップ  Ｓ１９０１）、待受け画像の表示形態を変更するとの判断結果の場合には、テーブルを参照する（テーブル参照ステップ  Ｓ１９０２）。他方、待受け画像の表示形態を変更するとの判断結果が得られない場合には、変更判断ステップ（Ｓ１９０１）を繰り返すとしてもよいし、処理を終了するとしてもよい。次に、テーブルの重要度指標に応じて、これに関連付けられている撮影画像識別情報で識別される撮影画像の表示形態を変更する（表示形態変更ステップ  Ｓ１９０３）。具体的には、撮影画像の切り替え、一画面上に複数の撮影画像が表示されている場合には、撮影画像の縮小、縮小した複数の撮影画像の合成、表示位置変更、囲み表示の付加などが該当する。
【００８４】
<実施形態８：効果>  本実施形態は、重要度を示す重要度指標に応じて、これに関連付けられている、撮影画像の待受け画面表示手段における表示形態を変更することに特徴を有する携帯型電子機器である。これにより、重要な撮影画像が優先的に表示されるため、重要な情報を確認しやすくなる。また、一画面上に複数の撮影画像が表示されている場合には、撮影画像の切り替え、表示位置変更、囲み表示の付加などが行われることで、複数の撮影画像を一覧表示にて確認しながらも、重要情報の見落としの可能性を減らすことができる。
【００８５】
<<実施形態９>>
【００８６】
<実施形態９：概要>  実施形態９について説明する。本実施形態は、待受け画面に複数の撮影画像を同時に表示して選択可能とし、選択された撮影画像を拡大して表示することに特徴を有する携帯型電子機器である。
【００８７】
<実施形態９：構成>  本実施形態での機能ブロックの一例を図２０に示した。  図２０に示す本実施形態の「携帯型電子機器」（２０００）は、「撮影部」（２００１）と、「表示部」（２００２）と、「メモ撮影設定部」（２００３）とを有し、メモ撮影設定部（２００３）は「メモ撮影シーン設定手段」（２００４）を有する。さらに、表示部（２００２）は「待受け画面表示手段」（２００５）を有し、待受け画面表示手段（２００５）は「選択器」（２００６）と、「選択撮影画像拡大表示器」（２００７）とを有する。本機能ブロック図は、実施形態７と、実施形態１を基本としたものであるが、他の実施形態を基本とした場合には他の構成要件を有する。
【００８８】
「選択器」（２００６）は、前記メモ撮影設定部（２００３）を利用して撮影された複数の撮影画像を同時に表示して選択可能とするための処理を行う。選択は、携帯型電子機器の十字キーなどの選択用のボタン操作により実行できる。また、選択されたどうかは、撮影画像の囲み枠の付加や、囲み枠の色・模様の変更などにより認識できることが想定される。選択器にて、撮影画像が選択された状態で、決定用のボタン操作等すると選択された撮影画像が決定する。
【００８９】
「選択撮影画像拡大表示器」（２００７）は、前記待受け画面表示手段（２００５）が撮影画像を表示する待受け画面に、選択器（２００６）にて選択された撮影画像を拡大して表示する。図１６の待受け画面の表示状態にて、例えば、右下のメモの撮影画像を選択した場合、表示画面全体にメモの撮影画像が拡大して表示される。
【００９０】
その他各部の処理については、実施形態１から７と同様である。
【００９１】
<実施形態９：処理の流れ>  図２１は、実施形態９の携帯型電子機器における撮影画像の表示形態変更方法の処理の流れの一例を示したものである。ここでは、待受け画面に撮影画像が表示されていることを前提とする。
【００９２】
まず、選択用のボタン操作を検知するかどうかの判断を行い（選択検知ステップ  Ｓ２１０１）、選択用のボタン操作を検知したとの判断結果の場合には、対応する撮影画像を選択時の表示形態に変更する（選択中表示ステップ  Ｓ２１０２）。他方、選択用のボタン操作を検知したとの判断結果が得られない場合には、選択検知ステップ（Ｓ２１０１）を繰り返すとしてもよい。次に、決定用のボタン操作を検知するかどうかの判断を行い（決定検知ステップ  Ｓ２１０３）、決定用のボタン操作を検知したとの判断結果の場合には、選択された撮影画像を拡大して表示する（選択撮影画像拡大表示ステップ  Ｓ２１０４）。このとき、テーブルを参照して、表示サイズの算出を行う。他方、決定用のボタン操作を検知したとの判断結果の場合には、選択検知ステップ（Ｓ２１０１）に戻り、処理を繰り返す。
【００９３】
<実施形態９：効果>  本実施形態は、待受け画面に複数の撮影画像を同時に表示して選択可能とし、選択された撮影画像を拡大して表示することに特徴を有する携帯型電子機器である。撮影画像を選択し、拡大表示させることができるため、利用者の必要に応じて切り替えができ、便利である。複数の撮影画像を一覧表示にて確認しながらも、重要情報の見落としの可能性を減らすことができる。
【図面の簡単な説明】
【００９４】
【図１】実施形態１を説明するための概念図
【図２】実施形態１を説明するための機能ブロック図
【図３】実施形態１のハードウエア構成を説明するための機能ブロック図
【図４】実施形態１の処理の流れを説明する図
【図５】実施形態２を説明するための機能ブロック図
【図６】実施形態２の処理の流れを説明する図
【図７】実施形態３を説明するための機能ブロック図
【図８】実施形態３の処理の流れを説明する図
【図９】実施形態４を説明するための機能ブロック図
【図１０】実施形態４の処理の流れを説明する図
【図１１】実施形態５を説明するための機能ブロック図
【図１２】実施形態５における表示形態の一例を説明するための図
【図１３】実施形態５の処理の流れを説明する図
【図１４】実施形態６を説明するための機能ブロック図
【図１５】実施形態７を説明するための機能ブロック図
【図１６】実施形態７における表示形態の一例を説明するための図
【図１７】実施形態８を説明するための機能ブロック図
【図１８】実施形態８におけるテーブルの一例を示した図
【図１９】実施形態８の処理の流れを説明する図
【図２０】実施形態９を説明するための機能ブロック図
【図２１】実施形態９の処理の流れを説明する図
【符号の説明】
【００９５】
０２００    携帯型電子機器
０２０１    撮影部
０２０２    表示部
０２０３    メモ撮影設定部
０２０４    メモ撮影シーン設定手段
【図１】
2007019637.tif 000003
【図２】
2007019637.tif 000004
【図３】
2007019637.tif 000005
【図４】
2007019637.tif 000006
【図５】
2007019637.tif 000007
【図６】
2007019637.tif 000008
【図７】
2007019637.tif 000009
【図８】
2007019637.tif 000010
【図９】
2007019637.tif 000011
【図１０】
2007019637.tif 000012
【図１１】
2007019637.tif 000013
【図１２】
2007019637.tif 000014
【図１３】
2007019637.tif 000015
【図１４】
2007019637.tif 000016
【図１５】
2007019637.tif 000017
【図１６】
2007019637.tif 000018
【図１７】
2007019637.tif 000019
【図１８】
2007019637.tif 000020
【図１９】
2007019637.tif 000021
【図２０】
2007019637.tif 000022
【図２１】
2007019637.tif 000023